(57)【要約】【課題】フィルタ及びフィルタカバーを換気装置の本体に容易に取付可能で、被着体がフィルタカバーのスリット領域に設けられることで意匠性を損なうと共に換気量が小さくなることを防止することのできるフィルタ体及びそれを有する換気装置を提供する。【解決手段】通風路２０の長手方向略全長に渡るフィルタ３０と、フィルタを室外側面に取付可能なフィルタカバー３１とからなり、フィルタカバー３１は通風路２０の長手方向略全長に渡る長尺状に形成され、換気装置１０の室内側面に対して固定される固定部３１ｃを上下端部の長手方向に沿って有し、固定部間の領域には上下方向に長いスリット３１ｂが長手方向に多数形成されたスリット部３１ａを有し、スリット部３１ａの室外側面には、スリット３１ｂ以外の領域に被着体３２が設けられ、被着体３２にフィルタ３０が固着されてなる。【選択図】図２
2010255290.tif 000002
【特許請求の範囲】
【請求項１】
サッシの障子を構成する框に室内外に渡る通風路を形成してなる換気装置の、室内側面に取付けられるフィルタ体であって、
前記通風路の長手方向略全長に渡るフィルタと、該フィルタを室外側面に取付可能なフィルタカバーとからなり、
前記フィルタカバーは前記通風路の長手方向略全長に渡る長尺状に形成され、前記換気装置の室内側面に対して固定される固定部を上下端部の長手方向に沿って有し、該固定部間の領域には上下方向に長いスリットが長手方向に多数形成されたスリット部を有し、
前記スリット部の室外側面には、前記スリット以外の領域に被着体が設けられ、該被着体に前記フィルタが固着されてなることを特徴とするフィルタ体。
【請求項２】
前記被着体は面ファスナからなることを特徴とする請求項１記載のフィルタ体。
【請求項３】
前記被着体は前記スリットよりも上下方向幅が大きく、かつ前記スリットに対応して略同じ大きさの開口部を備えることを特徴とする請求項１または２記載のフィルタ体。
【請求項４】
前記スリット部は段差を介して前記固定部より室内側に配置されることを特徴とする請求項１〜３のいずれか１項に記載のフィルタ体。
【請求項５】
サッシの障子を構成する框に室内外に渡る通風路を形成してなる換気装置であって、
前記通風路内には開閉自在な作動板が配置され、該作動板と対向する室内側面に請求項１〜４のいずれか１項に記載のフィルタ体を設けてなることを特徴とする換気装置。
【発明の詳細な説明】
【技術分野】
【０００１】
本発明は、サッシの障子を構成する框に通風路を設ける際に用いられるフィルタ体及びそれを有する換気装置に関し、特にフィルタを室内側から押圧保持するフィルタカバーを備えたフィルタ体及びそれを有する換気装置に関する。
【背景技術】
【０００２】
サッシに設けられる障子において、室内外の換気をなすことができるようにしたものが知られている。このために、障子を構成する框の一つを、室内外に渡る通風路を形成すると共に、框内部に揺動自在な作動板を設け、この作動板を揺動させることで通風路を開閉させる換気装置として構成する。
【０００３】
換気装置の作動板と対向する室内側面には、通風路を閉塞するフィルタが設けられる。フィルタは、不織布などによって形成され、作動板を開いて通風路を開放状態とした際に、室外側からのゴミや虫等の室内側への侵入を防止するためのものである。このフィルタは、面ファスナ等の被着部材を介して換気装置の本体に対して固定され、さらにフィルタを覆うようにスリットを有するフィルタカバーを、換気装置の室内側面を構成するように取付ける。このような換気装置としては、例えば特許文献１に挙げるようなものがある。
【先行技術文献】
【特許文献】
【０００４】
【特許文献１】特開２００５−２６４４２５号公報
【発明の概要】
【発明が解決しようとする課題】
【０００５】
従来の換気装置において、フィルタは予め小片状の被着体が長手方向に複数設けられた換気装置の本体にまず取付けられ、その状態でフィルタを覆うように、フィルタカバーを換気装置の本体に対して取付けるようにしていた。しかし、フィルタが換気装置の本体に取付けられた状態では、フィルタは換気装置の本体に対して固定はされているものの、外周部分はフリーの状態となっているため、それを覆うようにフィルタカバーを固定しようとしても、固定しにくいという問題があった。
【０００６】
特に、フィルタカバーは、換気装置の本体に対してけんどん式に取付固定されるのが一般的であり、この場合にはフィルタカバーの上下端部をそれぞれ挿入可能な溝部が、装置本体の室内面側に形成される。フィルタカバーを取付ける際に、フィルタがずれた状態であると、フィルタカバーが最初に挿入される溝部を塞いでしまっていることも考えられ、フィルタカバーを装置本体に取付けにくくする原因となっていた。
【０００７】
また、換気装置は仕様によってはフィルタを設けない場合もあるが、この場合にも被着体は換気装置の本体に取付けられており、フィルタカバーを介して換気装置の本体内部に被着体が見えてしまい、意匠性を損なうという問題があった。また、フィルタカバーのスリットと換気装置の本体のスリットの大きさが異なっていたため、室内側から見たときにフィルタカバーを介して本体内部のスリットがちぐはぐに見えてしまうという問題もあった。さらに、被着体が設けられる部分は、通気ができないため、換気量がその分だけ小さくなってしまうという問題もあった。
【０００８】
本発明は前記課題を鑑みてなされたものであり、フィルタ及びフィルタカバーを換気装置の本体に容易に取付可能で、被着体がフィルタカバーのスリット領域に設けられることで意匠性を損なうと共に換気量が小さくなることを防止することのできるフィルタ体及びそれを有する換気装置を提供することを目的とする。
【課題を解決するための手段】
【０００９】
前記課題を解決するため、本発明に係るフィルタ体は、サッシの障子を構成する框に室内外に渡る通風路を形成してなる換気装置の、室内側面に取付けられるフィルタ体であって、
前記通風路の長手方向略全長に渡るフィルタと、該フィルタを室外側面に取付可能なフィルタカバーとからなり、
前記フィルタカバーは前記通風路の長手方向略全長に渡る長尺状に形成され、前記換気装置の室内側面に対して固定される固定部を上下端部の長手方向に沿って有し、該固定部間の領域には上下方向に長いスリットが長手方向に多数形成されたスリット部を有し、
前記スリット部の室外側面には、前記スリット以外の領域に被着体が設けられ、該被着体に前記フィルタが固着されてなることを特徴として構成されている。
【００１０】
また、本発明に係るフィルタ体は、前記被着体は面ファスナからなることを特徴として構成されている。
【００１１】
さらに、本発明に係るフィルタ体は、前記被着体は前記スリットよりも上下方向幅が大きく、かつ前記スリットに対応して略同じ大きさの開口部を備えることを特徴として構成されている。
【００１２】
さらにまた、本発明に係るフィルタ体は、前記スリット部は段差を介して前記固定部より室内側に配置されることを特徴として構成されている。
【００１３】
そして、本発明に係る換気装置は、サッシの障子を構成する框に室内外に渡る通風路を形成してなる換気装置であって、
前記通風路内には開閉自在な作動板が配置され、該作動板と対向する室内側面に請求項１〜４のいずれか１項に記載のフィルタ体を設けてなることを特徴として構成されている。
【発明の効果】
【００１４】
本発明に係るフィルタ体によれば、通風路の長手方向略全長に渡るフィルタと、フィルタを室外側面に取付可能なフィルタカバーとからなり、スリット部の室外側面には、スリット以外の領域に被着体が設けられ、被着体にフィルタが固着されてなることにより、予めフィルタカバーにフィルタが固着されたフィルタ体を装置本体に取付けるだけでよいので、装置本体に対するフィルタ及びフィルタカバーの取付作業を容易にすることができ、また被着体がスリットを塞ぐことがないので、開口面積を大きくして換気量を増大させることができる。また、仕様によりフィルタを設けない場合であっても、フィルタカバーの内側に被着体が見えないようにすることができ、意匠性も良好にすることができる。
【００１５】
また、本発明に係るフィルタ体によれば、被着体は面ファスナからなることにより、フィルタカバーに対しフィルタを容易に着脱することができる。
【００１６】
さらに、本発明に係るフィルタ体によれば、被着体はスリットよりも上下方向幅が大きく、かつスリットに対応して略同じ大きさの開口部を備えることにより、被着体がスリットと重ならないようにしつつ、フィルタの固定のための面積を十分に確保することができる。
【００１７】
さらにまた、本発明に係るフィルタ体によれば、スリット部は段差を介して固定部より室内側に配置されることにより、スリット部の領域にフィルタを容易に位置決めし固定することができる。
【図面の簡単な説明】
【００１８】
【図１】本実施形態におけるサッシの室内側から見た正面図である。
【図２】換気装置の縦断面図である。
【図３】装置本体とフィルタ体の分解斜視図である。
【図４】フィルタカバーの背面図である。
【図５】フィルタカバーにスリットを形成するプレス装置の概念的な斜視図である。
【発明を実施するための形態】
【００１９】
本発明の実施形態について図面に沿って詳細に説明する。本実施形態では、フィルタ体が取付けられた換気装置を有するサッシについて説明する。図１には、本実施形態におけるサッシの室内側から見た正面図を示している。この図に示すように、本実施形態のサッシは、方形状に枠組みされてなる枠体１内に２枚の障子２を引き違い状に納めて構成されている。
【００２０】
障子２は、方形状に框組みされてなる框体３内にガラス板からなるパネル体４を納めて構成されている。框体３の上辺を構成する框には、室内外を連通させることのできる通風路２０を備えた換気装置１０が用いられる。また、框体３の下辺には下框１１が、縦辺には縦框１２が、それぞれ設けられる。
【００２１】
換気装置１０は、室内側面には通風路２０を構成する多数のスリット３１ｂを備えたフィルタ体２４と、通風路２０の開閉状態を切替える操作部２６が露出している。以下、換気装置１０の構成についてより詳細に説明する。図２には、換気装置１０の縦断面図を示している。
【００２２】
図２に示すように、換気装置１０は概ね框の形状に形成された装置本体２１を有し、装置本体２１には室内外に連通する前述の通風路２０が形成されると共に、通風路２０の室内側端部となる装置本体２１の室内側面には、フィルタ３０を有したフィルタ体２４が設けられる。
【００２３】
装置本体２１は、室内側に配置される室内部材２２と、室内部材２２とスライド係合して室外側に配置される室外部材２３の二部材で構成されている。これら二部材が組み立てられた状態で、装置本体２１の中央部に通風路２０が構成される。
【００２４】
装置本体２１のうち室内部材２２は、室外部材２３とスライド係合する金属部２２ａと、金属部２２ａの室内側に配設される樹脂部２２ｂによって構成されている。これによって、換気装置１０の断熱性及び意匠性の向上を図っている。
【００２５】
中空部２７の室内側面を構成する室内部材２２には、フィルタ体２４のスリット３１ｂと連通する略同形の室内側スリット２７ａが形成されている。室内側スリット２７ａは、室内部材２２の金属部２２ａと樹脂部２２ｂについて、これらを貫通するように見付方向同位置に形成されている。また、中空部２７の室外側面を構成する室外部材２３にも、室外側スリット２７ｂが形成されている。
【００２６】
このように、室内側から順に、フィルタ体２４のスリット３１ｂと、室内部材２２の室内側スリット２７ａ、中空部２７、及び室外部材２３の室外側スリット２７ｂによって、換気装置１０の室内外に渡る通風路２０が構成されている。
【００２７】
中空部２７の室内側端部には、上端部を中心に室内外方向に揺動自在な作動板２８が設けられている。作動板２８は、装置本体２１の長手方向に沿う長尺状に形成されてなり、操作部２６と連係して装置本体２１の長手方向にスライド自在であると共に、該スライドに伴って室内外方向に揺動する。
【００２８】
図２において実線で示す状態において、作動板２８は通風路２０の室内側スリット２７ａを閉塞している。一方、図２において破線で示す状態において、作動板２８は通風路２０を開放している。このように作動板２８が室内外に揺動することにより、通風路２０の開放状態と閉塞状態を切替えることができる。
【００２９】
中空部２７の室内側上端部を構成する室内部材２２の金属部２２ａには、作動板２８を揺動自在に保持する支軸部２７ｃが形成されている。作動板２８の揺動中心となる上端部は、断面略円形状の軸部２８ａとされており、これに対応して支軸部２７ｃは軸部２８ａを保持する断面略逆Ｕ字型をなすように形成されている。
【００３０】
この支軸部２７ｃは、下方開放状であると共に、その開放方向が鉛直下方よりも室外側寄りを向くように傾斜状に形成されている。これによって、支軸部２７ｃに保持された作動板２８が、室外側により大きく開放するように揺動範囲を設定することができる。
【００３１】
室内部材２２の室内側面に取付けられるフィルタ体２４は、不織布からなるフィルタ３０と、フィルタ３０を保持すると共に前述のスリット３１ｂを有するフィルタカバー３１によって構成されている。図３には、装置本体２１とフィルタ体２４の分解斜視図を示している。
【００３２】
図３に示すように、フィルタ体２４は、装置本体２１の長手方向に沿う長尺状に形成されており、フィルタカバー３１は多数のスリット３１ｂを有したスリット部３１ａと、スリット部３１ａの上下に段差を有して形成された固定部３１ｃとからなっている。
【００３３】
装置本体２１の室内部材２２には、室内側面にフィルタ体２４を納めることのできるフィルタ収納部２２ｃが、長手方向に沿って凹状に形成されており、その上下には、それぞれ溝状の係合溝部２２ｄが形成されている。図２に示すように、フィルタカバー３１の上下の固定部３１ｃは、それぞれ室内部材２２に形成された係合溝部２２ｄに対して挿入され、係合固定される。
【００３４】
また、スリット部３１ａは、固定部３１ｃに対して段差を介して室内側寄りとなるように配置されると共に、段差の固定部３１ｃ側部分に室外側に向かって突出する突片３１ｄを有しており、スリット部３１ａが室外側に向かう凹状となるように形成されている。この凹状部分にフィルタ３０が配置固定されることで、フィルタ３０を容易に位置決め固定することができる。
【００３５】
このように、フィルタカバー３１の室外面側にフィルタ３０を取付けてフィルタ体２４を構成し、このフィルタ体２４を装置本体２１に対して固定部３１ｃにより固定するようにしたことで、装置本体２１に対するフィルタ３０及びフィルタカバー３１の取付作業を容易にすることができる。
【００３６】
また、図３に示すように、装置本体２１において、室内部材２２の金属部２２ａと樹脂部２２ｂにそれぞれ形成された室内側スリット２７ａと、フィルタカバー３１のスリット３１ｂは、略同じ形状及びピッチを有するように形成されている。これによって、換気装置１０を室内側から見たときに、各スリットが室内外方向一直線状に並ぶこととなり、意匠性を良好にすることができる。
【００３７】
図４には、フィルタカバー３１の背面図を示している。この図に示すように、フィルタカバー３１のスリット部３１ａには、長手方向の複数箇所に、小片状の被着体３２が設けられる。被着体３２は、表面に弾性を有する多数の係止片（図示しない）が起毛状に形成されてなる面ファスナであり、不織布からなるフィルタ３０を表面に当接させることで、これを固定することのできるものである。
【００３８】
被着体３２は、スリット部３１ａにおいてスリット３１ｂを塞がないように、それ以外の領域を占めるようにされている。被着体３２の上下方向幅はスリット３１ｂの上下方向幅よりも大きく、被着体３２の左右方向幅は複数のスリット３１ｂに渡る幅を有すると共に、各スリット３１ｂに対応して略同じ大きさの開口部３２ａを備えている。
【００３９】
被着体３２をこのように形成することで、被着体３２がフィルタカバー３１のスリット３１ｂを塞ぐことがなく、フィルタカバー３１における開口面積を大きくして換気量を大きくすることができる。また、換気装置１０の仕様によりフィルタ３０を設けない場合において、被着体３２がスリット３１ｂを介して室内側から見えることがないため、意匠性を良好にすることができる。
【００４０】
また、フィルタカバー３１は、フィルタ３０が固定されるスリット部３１ａの形状を室外側に向かう凹状となるように形成しているので、フィルタ３０をスリット部３１ａの凹状領域に納めて、フィルタ３０の上下端面を確実に保持した状態とすることができるので、フィルタ体２４を容易に装置本体２１に対して取付けることができる。
【００４１】
このような被着体３２を有したフィルタカバー３１は、スリット３１ｂと開口部３２ａを一括的にプレス加工により形成することができる。図５には、フィルタカバー３１にスリット３１ｂを形成するプレス装置の概念的な斜視図を示している。プレス装置は、フィルタカバー３１を載置する台座４０と、フィルタカバー３１に対してスリット３１ｂを形成するプレス部材４１とを有している。
【００４２】
台座４０には、フィルタカバー３１を貫通したプレス部材４１が進入する複数の穴部４２が、スリット３１ｂの形成位置に対応して形成されている。また、穴部４２が形成された領域の周囲は、台座４０の上面よりも凹んだ凹状部４３として形成されている。凹状部４３において穴部４２は、縁部分が台座４０の上面と略同じ高さとなるように突出状に形成されている。
【００４３】
プレス部材４１は、スリット３１ｂの大きさ及びピッチに対応したスリット形成部４４が、複数並設されており、台座４０の上面に載置されたフィルタカバー３１をプレスし、貫通してスリット３１ｂを形成する。
【００４４】
この際、台座４０に載置するフィルタカバー３１には、予め開口部３２ａを有しない平面状の被着体３２を貼着しておく。また、被着体３２を取付けた面を、台座４０側に向けて載置する。前述のように、台座４０の上面には穴部４２の周囲に凹状部４３が形成されており、プレスされる位置の被着体３２は、台座４０の上面に当接しない。
【００４５】
この状態でプレス部材４１によりプレス加工を行うことにより、フィルタカバー３１にスリット３１ｂを形成すると共に、被着体３２にもスリット３１ｂと略同形状の開口部３２ａを同時に形成することができる。また、台座４０に凹状部４３が形成されていることにより、プレスされる部分において被着体３２が台座４０の上面に当接しないので、被着体３２の表面に起毛状に形成された係止片について、プレス時に強い力で押圧されることによる劣化を防止することができる。
【００４６】
以上、本発明の実施形態について説明したが、本発明の適用は本実施形態には限られず、その技術的思想の範囲内において様々に適用されうるものである。例えば、本実施形態においては、被着体３２として面ファスナを用いたが、フィルタ３０を面状に接着できるものであればよく、両面テープなどの手段を用いてもよい。また、被着体３２としては接着材を用いてもよい。
【００４７】
また、本実施形態では、框体３を構成する上框をそのまま換気装置１０として構成しているが、上框の下側に並設するように換気装置１０を設けてもよい。この場合には、上框と換気装置１０により、框体３の上辺を構成することとなる。
【符号の説明】
【００４８】
１    枠体
２    障子
３    框体
４    パネル体
１０    換気装置
２０    通風路
２１    装置本体
２２    室内部材
２２ａ  金属部
２２ｂ  樹脂部
２２ｃ  フィルタ収納部
２２ｄ  係合溝部
２３    室外部材
２４    フィルタ体
２６    操作部
２７    中空部
２７ａ  室内側スリット
２７ｂ  室外側スリット
２７ｃ  支軸部
２８    作動板
２８ａ  軸部
３０    フィルタ
３１    フィルタカバー
３１ａ  スリット部
３１ｂ  スリット
３１ｃ  固定部
３１ｄ  突片
３２    被着体
３２ａ  開口部
【図１】
2010255290.tif 000003
【図２】
2010255290.tif 000004
【図３】
2010255290.tif 000005
【図４】
2010255290.tif 000006
【図５】
2010255290.tif 000007